【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】
第２の基地局を第１の基地局と時間同期させる方法において、
前記第１の基地局から前記第１の基地局と通信している移動局への送信と前記移動局から前記第１の基地局への戻り送信との往復遅延間隔を測定するステップと、
情報を前記第１の基地局から前記第２の基地局に通信して、前記移動局からの通信を受信する際に前記第２の基地局をアシストするステップと、
前記第２の基地局において、前記移動局により送信された通信を受信して受信時間を記録するステップと、
前記第２の基地局において、前記移動局による送信と前記第２の基地局による受信との間に生じる遅延の推定値を決定するステップと、
前記遅延の推定値と、前記移動局から前記第２の基地局への送信の前記第２の基地局における前記受信時間と、前記測定された往復遅延間隔とに基づいてタイミング補正値を計算するステップとを含む方法。
【請求項２】
前記第２の基地局において、前記移動局の識別子を示すメッセージを受信するステップをさらに含む請求項１記載の方法。
【請求項３】
前記メッセージは、前記第１の基地局から前記第２の基地局に送信される請求項２記載の方法。
【請求項４】
前記メッセージは、前記第１の基地局および前記第２の基地局と通信している基地局制御装置を通して、前記第１の基地局によって前記第２の基地局に送信される請求項３記載の方法。
【請求項５】
複数の移動局からの通信を受信するステップと、
前記第２の基地局と通信できる可能性が最もある移動局を選択するステップと、
前記移動局の識別子を示す前記メッセージを送信するステップとをさらに含む請求項２記載の方法。
【請求項６】
前記移動局を選択するステップは、前記第１の基地局から最も遠い移動局を選択することによって実行される請求項５記載の方法。
【請求項７】
前記第１の基地局は、前記移動局のＰＮ拡散器の状態にしたがって、前記第１の基地局から最も遠い前記移動局を決定する請求項６記載の方法。
【請求項８】
前記選択ステップは、前記移動局と通信している前記第１の基地局のセクタにしたがって実行される請求項６記載の方法。
【請求項９】
第２の基地局を第１の基地局と時間同期させる方法において、
前記第１の基地局から前記第１の基地局と通信している移動局への送信と前記移動局から前記第１の基地局への戻り送信との往復遅延間隔を測定し、
前記第２の基地局において、前記移動局により送信された通信を受信して受信時間を記録し、
前記移動局による送信と前記第２の基地局による受信との間に生じる遅延の推定値を決定し、
前記遅延の推定値と、前記記録された受信時間と、前記測定された往復遅延間隔とにしたがって、タイミング補正値を計算することを含む方法。
【請求項１０】
前記第２の基地局において、前記移動局の識別子を示すメッセージを受信し、前記移動局からの通信の前記受信の際に前記第２の基地局をアシストすることをさらに含む請求項９記載の方法。
【請求項１１】
前記第１の基地局から前記第２の基地局に前記移動局の識別子を示すメッセージを送信することをさらに含む請求項１０記載の方法。
【請求項１２】
前記第１の基地局から前記第２の基地局への前記メッセージ送信は、前記第１の基地局および前記第２の基地局と通信している基地局制御装置を通して、前記第１の基地局から前記第２の基地局にメッセージを送信することを含む請求項１１記載の方法。
【請求項１３】
前記第１の基地局から前記第２の基地局への前記メッセージ送信は、前記第１の基地局において複数の移動局からの通信を受信し、前記第２の基地局と通信できる可能性が最もある移動局を選択し、前記移動局の識別子を示すメッセージを送信することを含む請求項１１記載の方法。
【請求項１４】
前記第２の基地局と通信できる可能性が最もある移動局の前記選択は、前記第１の基地局から最も遠い移動局を選択することを含む請求項１３記載の方法。
【請求項１５】
前記第２の基地局と通信できる可能性が最もある移動局の前記選択は、前記第１の基地局から最も近い移動局を選択することを含む請求項１３記載の方法。
【請求項１６】
前記第２の基地局と通信できる可能性が最もある移動局の前記選択は、前記移動局のＰＮ拡散器の状態にしたがって、移動局を選択することを含む請求項１３記載の方法。
【請求項１７】
前記第２の基地局と通信できる可能性が最もある移動局の前記選択は、移動局との通信のために使用されている前記第１の基地局のセクタにしたがって、移動局を選択することを含む請求項１３記載の方法。
【請求項１８】
前記第２の基地局と通信できる可能性が最もある移動局の前記選択は、前記測定された往復遅延間隔にしたがって、移動局を選択することを含む請求項１３記載の方法。
【請求項１９】
第２の基地局を第１の基地局と時間同期させる装置において、
前記第１の基地局から前記第１の基地局と通信している移動局への送信と前記移動局から前記第１の基地局への戻り送信との往復遅延間隔を測定するように構成された第１の基地局と、
前記移動局により送信された通信を受信して受信時間を記録し、前記移動局による送信と前記第２の基地局による受信との間に生じる遅延の推定値を決定し、前記遅延の推定値と、前記受信時間と、前記測定された往復遅延間隔とに基づいて、タイミング補正値を計算するように構成された第２の基地局とを具備する装置。
【請求項２０】
前記第２の基地局は、前記移動局の識別子を示すメッセージを受信して、前記第２の基地局が前記移動局からの通信を受信するのをアシストされるようにさらに構成されている請求項１９記載の装置。
【請求項２１】
前記第１の基地局は、前記移動局の識別子を示すメッセージを前記第２の基地局に送信するようにさらに構成されている請求項２０記載の装置。
【請求項２２】
前記第１の基地局は、前記第１の基地局および前記第２の基地局と通信している基地局制御装置を通して、前記メッセージを前記第２の基地局に送信するようにさらに構成されている請求項２１記載の装置。
【請求項２３】
前記第１の基地局は、複数の移動局からの通信を受信し、前記第２の基地局と通信できる可能性が最もある移動局を選択するようにさらに構成されている請求項２１記載の装置。
【請求項２４】
前記第１の基地局は、前記第１の基地局から最も近い移動局のような、前記第２の基地局と通信できる可能性が最もある移動局を選択するように構成されている請求項２３記載の装置。
【請求項２５】
前記第１の基地局は、前記移動局のＰＮ拡散器の状態にしたがって、前記第２の基地局と通信できる可能性が最もある移動局を選択するように構成されている請求項２３記載の装置。
【請求項２６】
前記第１の基地局は、前記移動局との通信のために使用されている前記第１の基地局のセクタにしたがって、前記第２の基地局と通信できる可能性が最もある移動局を選択するように構成されている請求項２３記載の装置。
【請求項２７】
前記第１の基地局は、前記測定された往復遅延間隔にしたがって、前記第２の基地局と通信できる可能性が最もある移動局を選択するように構成されている請求項２３記載の装置。
【請求項２８】
基地局の電源投入時に、前記基地局をワイヤレス通信システムと同期化させる方法において、
前記基地局からの送信をディセーブルし、
前記基地局において、初期タイミングを獲得し、
前記基地局において、移動局から送信された信号を受信し、
前記受信信号にしたがって、前記基地局のタイミングを調整することを含み、
前記受信することは、
（ｉ）前記基地局に前記移動局の識別子についての情報を提供し、
（ｉｉ）前記基地局において、第１の基地局から前記第１の基地局と通信している前記移動局への送信と前記移動局から前記第１の基地局への戻り送信との第１の往復遅延間隔と、第２の基地局から前記第２の基地局と通信している前記移動局への送信と前記移動局から前記第２の基地局への戻り送信との第２の往復遅延間隔とにしたがって、前記移動局への距離を推定し、
（ｉｉｉ）前記基地局において、前記提供された情報と前記推定距離とにしたがって、前記移動局から送信された信号を受信することを含む方法。
【請求項２９】
基地局の電源投入時に、前記基地局をワイヤレス通信システムと同期化させる方法において、
前記基地局からの送信をディセーブルし、
前記基地局において、基地局制御装置から提供されたタイミング信号にしたがって、初期タイミングを獲得し、
前記基地局において、移動局から送信された信号を受信し、
前記移動局の推定されたＰＮオフセットと前記移動局の実際のＰＮオフセットとの間の時間オフセットにしたがって、前記基地局のタイミングを調整することを含む方法。
【請求項３０】
基地局の電源投入時に、前記基地局をワイヤレス通信システムと同期化させる方法において、
前記基地局からの送信をディセーブルし、
前記基地局において、基地局制御装置から提供されたタイミング信号にしたがって、初期タイミングを獲得し、
前記基地局において、移動局から送信された信号を受信し、
前記受信信号にしたがって前記基地局のタイミングを調整し、
前記基地局のパイロットＰＮコードオフセットを前記移動局に提供し、
前記移動局が送信信号を検出するまで、前記調整されたタイミングにしたがって、連続的に増加された電力レベルにおいて前記基地局から信号を送信することを含む方法。
【請求項３１】
前記基地局の識別子の前記移動局への提供は、パイロットＰＮコードを前記移動局に提供することを含む請求項３０記載の方法。
【請求項３２】
前記基地局のタイミングを前記移動局と通信する少なくとも１つの基地局と同期化させることをさらに含む請求項３１記載の方法。
【請求項３３】
前記基地局のタイミングと前記移動局と通信する少なくとも１つの基地局との前記同期化は、
前記基地局と前記移動局との間の通信を開始し、
前記基地局から前記基地局と通信している前記移動局への送信と前記移動局から前記基地局への戻り送信との第１の往復遅延間隔を測定し、
前記移動局と通信している前記少なくとも１つの基地局からの送信と前記移動局から前記移動局と通信している前記少なくとも１つの基地局への戻り送信との第２の往復遅延間隔を測定し、
前記移動局において、前記移動局と通信している前記少なくとも１つの基地局からの送信の受信時間と前記移動局と通信している前記基地局からの送信の受信時間との間の時間差を測定し、
前記測定された第１の往復遅延間隔と、前記測定された第２の往復遅延間隔と、前記測定された時間差とに基づいて、タイミング補正値を計算することを含む請求項３２記載の方法。
【請求項３４】
前記基地局のカバレッジ領域内のすべての移動局に対して、前記基地局のタイミングと前記移動局と通信する前記少なくとも１つの基地局との前記同期化を繰り返すことをさらに含む請求項３２記載の方法。
【請求項３５】
前記基地局のタイミングと前記移動局と通信する前記少なくとも１つの基地局との前記同期化は、請求項９に記載された方法を含む請求項３０記載の方法。
【請求項３６】
基地局の電源投入時に、前記基地局をワイヤレス通信システムと同期化させる装置において、
送信機と、
前記送信機と通信可能に結合されたプロセッサと、
前記プロセッサと結合された記憶媒体と、
前記プロセッサと通信可能に結合された受信機とを具備し、
前記プロセッサは、１組の命令を実行して、受信信号にしたがって前記基地局のタイミングを調整し、移動局の識別子についての情報を獲得し、第１の基地局から前記第１の基地局と通信している前記移動局への送信と前記移動局から前記第１の基地局への戻り送信との第１の往復遅延間隔と、第２の基地局から前記第２の基地局と通信している前記移動局への送信と前記移動局から前記第２の基地局への戻り送信との第２の往復遅延間隔とを推定することによって前記基地局から前記移動局への距離を推定するように構成され、
前記記憶媒体は、前記送信機をディセーブルし、初期タイミングを獲得するために、前記プロセッサによって実行可能な他の組の命令を含み、
前記受信機は、前記移動局から送信された信号を受信し、前記受信信号にしたがって前記基地局のタイミングを調整し、前記提供された情報と前記推定距離とにしたがって、前記移動局から送信された信号を受信するように構成されている装置。
【請求項３７】
基地局の電源投入時に、前記基地局をワイヤレス通信システムと同期化させる装置において、
送信機と、
前記送信機と通信可能に結合されたプロセッサと、
前記プロセッサと通信可能に結合された受信機と、
前記プロセッサと結合された記憶媒体とを具備し、
前記プロセッサは、１組の命令を実行して、前記移動局の推定されたＰＮオフセットと前記移動局の実際のＰＮオフセットとの間の時間オフセットにしたがって、前記基地局のタイミングを調整するように構成され、
前記受信機は、移動局から送信された信号を受信するように構成され、
前記記憶媒体は、前記送信機をディセーブルし、初期タイミングを獲得するために、前記プロセッサによって実行可能な他の組の命令を含む装置。
【請求項３８】
基地局の電源投入時に、前記基地局をワイヤレス通信システムと同期化させる方法において、
送信機と、
前記送信機と通信可能に結合されたプロセッサと、
前記プロセッサと通信可能に結合された受信機と、
前記プロセッサと結合された記憶媒体とを具備し、
前記プロセッサは、１組の命令を実行して、前記受信信号にしたがって前記基地局のタイミングを調整し、
前記受信機は、移動局からの送信された受信信号を受信するように構成され、
前記記憶媒体は、前記送信機をディセーブルし、初期タイミングを獲得するために、前記プロセッサによって実行可能な他の組の命令を含み、
前記移動局は、前記基地局のパイロットＰＮコードについての情報を獲得するように構成され、
前記送信機は、前記移動局が送信された信号を検出するまで、前記調整されたタイミングにしたがって、連続的に増加された電力レベルにおいて前記基地局から信号を送信するように構成されている装置。
【請求項３９】
前記移動局は、前記基地局のパイロットＰＮコードについての情報を獲得するように構成されている請求項３８記載の装置。
【請求項４０】
基地局の電源投入時に、前記基地局をワイヤレス通信システムと同期化させる装置において、
送信機と、
前記送信機と通信可能に結合されたプロセッサと、
前記送信機と通信可能に結合された受信機と、
前記プロセッサと結合された記憶媒体とを具備し、
前記プロセッサは、１組の命令を実行して、前記受信信号にしたがって前記基地局のタイミングを調整し、前記基地局のタイミングを前記移動局と通信している少なくとも１つの基地局と同期化させ、
前記受信機は、移動局から送信された受信信号を受信するように構成され、
前記記憶媒体は、前記送信機をディセーブルし、初期タイミングを獲得するために、前記プロセッサによって実行可能な他の組の命令を含む装置。
【請求項４１】
前記基地局と前記移動局との間の通信を開始し、
前記基地局から前記基地局と通信している前記移動局への送信と前記移動局から前記基地局への戻り送信との第１の往復遅延間隔を測定し、
前記移動局と通信している前記少なくとも１つの基地局からの送信と前記移動局から前記移動局と通信している前記少なくとも１つの基地局への戻り送信との第２の往復遅延間隔を測定し、
前記第１の往復遅延間隔と、前記第２の往復遅延間隔と、前記移動局によって提供される時間差とにしたがって、タイミング補正値を計算する、
１組の命令を実行することによって、前記プロセッサは、前記基地局のタイミングを前記移動局と通信している前記少なくとも１つの基地局と同期化させ、
前記移動局は、前記移動局と通信する前記少なくとも１つの基地局からの送信の受信時間と、前記基地局からの送信の受信時間との間の前記時間差を測定するように構成されている請求項４０記載の装置。
【請求項４２】
前記プロセッサは、前記基地局のカバレッジ領域内のすべての移動局に対して、前記基地局のタイミングと前記移動局と通信する前記少なくとも１つの基地局との前記同期化を繰り返す請求項４０記載の装置。
【請求項４３】
請求項１９記載の装置をさらに具備する請求項４０記載の装置。
【手続補正２】
【補正対象書類名】明細書
【補正対象項目名】００２５
【補正方法】変更
【補正の内容】
【００２５】
信号パス５０４は移動局６０から異なる伝搬パスに沿ってスレーブ基地局６４に伝わるリバースリンク信号送信である。信号５０４が移動局６０からスレーブ基地局６４に伝わるのに要する時間はτ2として示されている。リバースリンク信号５０４がスレーブ基地局６４に到着する時間はＴ2として示されている。フォワードリンク信号５０６がスレーブ基地局６４から移動局６０に伝わるのに要する時間もτ2に等しい。さらに、スレーブ基地局６４は、移動局６０からリバースリンク信号を受信した時間と、そのフォワードリンク信号を移動局６０に送信した時間との時間差を測定することができる。この時間差はＲＴＤ2として示されている。これらの時間を知ることにより、時間誤差（Ｔ0’−Ｔ0）の計算が可能になる。時間誤差（Ｔ0’−Ｔ0）を計算する方法を以下に説明する。
【手続補正３】
【補正対象書類名】明細書
【補正対象項目名】００２６
【補正方法】変更
【補正の内容】
【００２６】
最初に、図２から次のことを認めることができる。
【数１】
2002510157.tif 000001
【手続補正４】
【補正対象書類名】明細書
【補正対象項目名】００２９
【補正方法】変更
【補正の内容】
【００２９】
したがって、次のことが分かる。
【数４】
2002510157.tif 000002